(57)【要約】【課題】容器内やカップ内の収容物が零れ難いカップ保持具を提供する。【解決手段】飲料を収容可能なカップを着脱自在に保持することができるホルダーと、該ホルダーの外周部に着脱自在に取り付け可能な容器と、を有し、該ホルダーと該容器との何れか一方は突起を、他方は該突起と遊嵌可能な突起係合部を有し、該突起と該突起係合部とが遊嵌された状態では該容器が該突起を介して揺動自在に連結されている。【選択図】図１
2018089373.tif 000002
【特許請求の範囲】
【請求項１】
飲料を収容可能なカップを着脱自在に保持することができるホルダーと、
該ホルダーの外周部に着脱自在に取り付け可能な容器と、
を有し、
該ホルダーと該容器との何れか一方は突起を、他方は該突起と遊嵌可能な突起係合部を有し、
該突起と該突起係合部とが遊嵌された状態では該容器が該突起を介して揺動自在に連結されていることを特徴とするカップ保持具。
【請求項２】
請求項１に記載のカップ保持具であって、
該ホルダーが、該カップが挿入される開口を有するカップ状の保持部を有することを特徴とするカップ保持具。
【請求項３】
請求項１または請求項２に記載のカップ保持具であって、
該ホルダーは、使用者が把持可能な把持部を有し、
該突起及び該把持部は、該カップが保持される部位を挟んで互いに反対側に位置しており、該突起は該把持部と該突起とを繋ぐ線に沿って突出していることを特徴とするカップ保持具。
【請求項４】
飲料を収容可能なカップの外周に当接される当接部、及び、
該当接部から延出された延出部、
を各々有する２つのホルダー構成部材を有し、
該２つのホルダー構成部材は、各々が有する該当接部が、互いに近づく近接方向及び互いに遠ざかる離間方向に回動自在に連結されるとともに該当接部が近接方向に付勢された状態で該２つの当接部が、該カップを保持する保持部を形成し、
該延出部が該２つの当接部を離間方向に回動させる離間操作部をなすホルダーと、
該ホルダーの外周部に着脱自在に取り付け可能な容器と、
を有し、
該ホルダーと該容器との何れか一方は突起を、他方は該突起と遊嵌可能な突起係合部を有し、
該突起と該突起係合部とが遊嵌された状態では該容器が該突起を介して揺動自在に連結されていることを特徴とするカップ保持具。
【請求項５】
請求項４に記載のカップ保持具であって、
該ホルダーは、該２つのホルダー構成部材のうちの何れか一方の該延出部に使用者が把持可能な把持部を有し、
該突起は、該カップが保持される部位を挟んで２つのホルダー構成部材が回動自在に連結されている回動連結部とは反対側に位置しており、該突起は該回動連結部と該突起とを繋ぐ線に沿って突出していることを特徴とするカップ保持具。
【請求項６】
請求項１乃至請求項５に記載のカップ保持具であって、
該容器は、該突起の突出方向と直交する直交方向における中央が両端側より深く、両端に向かって漸次浅くなることを特徴とするカップ保持具。
【発明の詳細な説明】
【技術分野】
【０００１】
本発明は、飲料を収容可能なカップを着脱自在に保持することができるカップ保持具に関する。
【背景技術】
【０００２】
カップ保持具としては、例えば、立食パーティーのようにコップと取り皿とを持ちつつ食事をするときに用いられ、親指に引っ掛けて使用するコップ保持具が知られている（例えば、特許文献１参照）。このコップ保持具は、コップの下面を支える受け面とコップの外形より大きな空間を形成する案内壁とで形成された、コップを保持する部位を有している。このコップ保持具を親指に引っ掛けたときにコップを保持する部位が、掌の手首側、すなわち母子球側に配置される。このため、コップが母子球側に配置されることにより、コップを保持した状態であっても、５本の指にて取り皿等の容器を持つことが可能である。
【先行技術文献】
【特許文献】
【０００３】
【特許文献１】実開平２−９６９５８号公報
【発明の概要】
【発明が解決しようとする課題】
【０００４】
上記のコップ保持具は、コップと容器とを片手で持つことができるものの、片手で持った状態ではコップ及び容器の姿勢を相対的に違えることは難しい。すなわち、例えば、料理等を容器に入れるときに容器を料理等に近づけるべく傾けるとコップも同様に傾き、また、コップ内の飲料を飲むべくコップを傾けると容器も同様に傾くため、容器内やコップ内の収容物が零れる虞がある。
本発明は、このような事情に鑑みてなされたものであり、容器内やカップ内の収容物が零れ難いカップ保持具を提供することを目的とする。
【課題を解決するための手段】
【０００５】
かかる目的を達成するために本発明のカップ保持具は、飲料を収容可能なカップを着脱自在に保持することができるホルダーと、該ホルダーの外周部に着脱自在に取り付け可能な容器と、を有し、該ホルダーと該容器との何れか一方は突起を、他方は該突起と遊嵌可能な突起係合部を有し、該突起と該突起係合部とが遊嵌された状態では該容器が該突起を介して揺動自在に連結されていることを特徴とするカップ保持具である。
【０００６】
かかるカップ保持具であって、該ホルダーが、該カップが挿入される開口を有するカップ状の保持部を有することを特徴とする。
【０００７】
かかるカップ保持具であって、該ホルダーは、使用者が把持可能な把持部を有し、該突起及び該把持部は、該カップが保持される部位を挟んで互いに反対側に位置しており、該突起は該把持部と該突起とを繋ぐ線に沿って突出していることを特徴とする。
【０００８】
また、飲料を収容可能なカップの外周に当接される当接部、及び、該当接部から延出された延出部、を各々有する２つのホルダー構成部材を有し、該２つのホルダー構成部材は、各々が有する該当接部が、互いに近づく近接方向及び互いに遠ざかる離間方向に回動自在に連結されるとともに該当接部が近接方向に付勢された状態で該２つの当接部が、該カップを保持する保持部を形成し、該延出部が該２つの当接部を離間方向に回動させる離間操作部をなすホルダーと、該ホルダーの外周部に着脱自在に取り付け可能な容器と、を有し、該ホルダーと該容器との何れか一方は突起を、他方は該突起と遊嵌可能な突起係合部を有し、該突起と該突起係合部とが遊嵌された状態では該容器が該突起を介して揺動自在に連結されていることを特徴とするカップ保持具である。
【０００９】
かかるカップ保持具であって、該ホルダーは、該２つのホルダー構成部材のうちの何れか一方の該延出部に使用者が把持可能な把持部を有し、該突起は、該カップが保持される部位を挟んで２つのホルダー構成部材が回動自在に連結されている回動連結部とは反対側に位置しており、該突起は該回動連結部と該突起とを繋ぐ線に沿って突出していることを特徴とする。
【００１０】
かかるカップ保持具であって、該容器は、該突起の突出方向と直交する直交方向における中央が両端側より深く、両端に向かって漸次浅くなることを特徴とする。
【発明の効果】
【００１１】
本発明によれば、容器内やカップ内の収容物が零れ難いカップ保持具を提供することが可能である。
【図面の簡単な説明】
【００１２】
【図１】第一実施形態に係るカップ保持具及びカップ保持具の構成を示す斜視図である。
【図２】カップ及びホルダーを傾けた状態を示す斜視図である。
【図３】保持具の高さが高い第二実施形態に係るカップ保持具を示す斜視図である。
【図４】保持具の高さが高くグリップを有しない第三実施形態に係るカップ保持具を示す斜視図である。
【図５】積み重ねることが可能な第四実施形態に係るカップ保持具を示す斜視図である。
【図６】容器に突起が設けられた第五実施形態に係るカップ保持具及びカップ保持部の構成を示す斜視図である。
【図７】図６に示すカップ保持具が重ねられた状態を示す斜視図である。
【図８】ホルダー内に収納ポケットを収納可能なカップ保持具を示す斜視図である。
【図９】突起が着脱自在な容器を示す斜視図である。
【図１０】２つのホルダー構成部材を有するホルダーを示す斜視図であり、図１０（ａ）は、当接部の先端同士が当接された状態を示す斜視図であり、図１０（ｂ）は、当接部の間隔を広げた状態を示す斜視図である。
【図１１】２つのホルダー構成部材を有するホルダーにカップが装着された状態を示す斜視図である。
【図１２】折り畳み可能な収納ポケットの一例を示す図である。
【発明を実施するための形態】
【００１３】
以下、本発明の実施形態に係るカップ保持具について図面を参照して説明する。
【００１４】
第一実施形態に係るカップ保持具１０は、図１に示すように、飲料を収容可能なカップ１を着脱自在に保持することができるホルダー２と、ホルダー２の外周部に着脱自在に取り付け可能な容器としての収納ポケット３と、を有している。カップ１には、例えば、ビール、ワイン、珈琲、紅茶など各種の液体飲料が収容され、収納ポケット３には、カップ１に収容された飲料とともに食される、例えば、菓子やおつまみ等の固形の食料が収容可能である。
【００１５】
カップ１は、円形状の平坦なカップ底１ａと、カップ底１ａの外周縁と繋がり上方に立ち上がった周壁部１ｂと、により形成された器状をなし、その内部が飲料等の収容部をなしている。周壁部１ｂは、上方向かって漸次拡径されている。このため、カップ１の外形形状は上端側から下端側に向かって細くなるテーパー状をなしている。
【００１６】
ホルダー２は、射出成形された合成樹脂製であり、上方から挿入されたカップ１が保持される環状の保持部２０と、保持部２０と繋がり使用者が把持する把持部としてのグリップ２１と、保持部２０から外側に突出し収納ポケット３が係合される突起２２と、を有している。保持部２０に設けられているグリップ２１と突起２２とは、環状をなす保持部２０の直径方向における両側(真反対)に配置され、互いに反対方向となる外側に向かって突出させて設けられている。
【００１７】
保持部２０は、上下方向に連通し、カップ１が挿入されて保持される部位をなす環状の保持部開口２０ａを形成しており、上下方向の高さがカップ１よりも明らかに低いほぼ筒状をなしている。保持部２０は、保持部開口２０ａの（以下、開口上縁という）２０ｂの直径が、保持部開口２０ａの下縁（以下、開口下縁という）２０ｃの直径より大きく形成されている。すなわち、保持部２０もカップ１同様に上端側から下端側に向かって細くなるテーパー状をなしている。
【００１８】
また、保持部２０の開口上縁２０ｂの直径は、保持対象のカップ１の上縁となるカップ開口１ｃの直径より小さく形成されており、開口下縁２０ｃの直径は、保持対象のカップ１のカップ底１ａ或いは周壁部１ｂの下縁の直径より大きく形成されている。このため、カップ１を上方から保持部２０の保持部開口２０ａ内に挿入すると、カップ底１ａが開口下縁２０ｃより下側に突出しカップ１のカップ開口１ｃが開口上縁２０ｂより上に位置する状態でカップ１が保持部２０に保持される。例えば、カップ１は、保持部２０により当該カップ１の略中間部位又は上部側でカップ保持具１０に確りと保持される。このとき、保持部２０のテーパーの角度とカップ１のテーパーの角度とは、必ずしも一致する必要はないが、一致している方が、より安定した状態でカップ１を保持することが可能である。
【００１９】
グリップ２１は、保持部２０の上縁の所定の位置から、直径方向に沿って外側に向かい水平方向に延出された帯状の部位２１ａの先端から、保持部２０に装着されたカップ１と間隔を隔てた位置にて垂下されて一体に形成されている。保持部２０に装着されたカップ１とグリップ２１との間は、カップ１が保持部２０に装着された状態であっても使用者が片手でグリップ２１を把持することができるように間隔が空けられている。
【００２０】
突起２２は、保持部２０の外周面に設けられており、直径方向に沿うとともにグリップ２１とは反対方向に向かって突出されている。突起２２が設けられる保持部２０の外周面には、テーパー状をなす外周面に鉛直方向に沿う面を形成する台座２３が設けられており、突起２２は台座２３がなす鉛直面の法線方向に突出させて設けられている。すなわち、グリップ２１及び突起２２は、カップ１が保持される保持部開口２０ａを挟んで互いに反対側に位置しており、突起２２は、グリップ２１と突起２２とを繋ぐ線となる保持部開口２０ａの直径に沿って突出している。
【００２１】
突起２２は、ほぼ円柱状をなしており、突出方向における中央部に周方向に沿って全周にわたって溝部２２ａが設けられている。すなわち、突起２２の基端部側と先端部側とに２つの円盤状の部位２２ｂが間隔を隔てて同心に設けられており、２つの円盤状の部位２２ｂの間には、これら円盤状の部位２２ｂの直径よりも小さな直径の軸部２２ｃが同心に設けられている。ここで、突起２２及び台座２３は、保持部２０と別体に形成されて、突起２２と台座２３とが保持部２０に取り付けられる形態であっても構わない。
【００２２】
収納ポケット３は、上方が開放された器状をなしており、互いに間隔を隔てて対向する２つの壁部３ａ、３ｂと、２つの壁部３ａ、３ｂを繋ぐ容器底部３ｃと、で形成されている。以下の説明においては、２つの壁部３ａ、３ｂが対向する方向を対向方向、収納ポケット３の深さ方向を上下方向、対応方向及び上下方向と直交する方向を直交方向として示す。
【００２３】
互いに対向する２つの壁部３ａ、３ｂのうちの一方（以下、内側壁部という）３ａは全体が平面をなしており、直交方向における中央の上端部側に、ホルダー２が備える突起２２と係合する突起係合部としての係合孔３ｄが設けられている。係合孔３ｄは、各々の中心が上下に位置する２つの仮想円を繋げた達磨形状をなしている。
【００２４】
上側に中心が位置する仮想円の直径は、ホルダー２に設けられた突起２２の円盤状の部位２２ｂの直径より小さく、且つ、軸部２２ｃの直径より僅かに大きく設定されている。下側に中心が位置する仮想円の直径は、ホルダー２に設けられた突起２２の円盤状の部位２２ｂの直径より大きく設定されている。また、内側壁部３ａは、突起２２の溝部２２ａの幅より僅かに薄い厚みをなしている。
【００２５】
互いに対向する２つの壁部３ａ、３ｂのうちの他方（以下、外側壁部という）３ｂは、直交方向における中央部分３ｅが内側壁部３ａと平行な平面をなしており、平面をなす部位から直交方向における両端に向かって各々内側壁部３ａとの間隔が狭まるように湾曲している。
【００２６】
容器底部３ｃは、内側壁部３ａと外側壁部３ｂの中央部分３ｅとを繋ぐ平坦な平坦部３ｆと、平坦部３ｆから、直交方向における両端に向かって各々深さが浅くなるように湾曲した湾曲部３ｇと、を有している。すなわち、収納ポケット３は、直交方向における中央側が深く、両端部に向かって浅くなる舟形状をなしており、内部に収容される食料が、容器底部３ｃの湾曲部３ｇから中央の平坦部３ｆに集まりやすい形状をなしている。このため、使用者は収容されている食料が取り易く、外に零すことも回避することができる。
【００２７】
第一実施形態のカップ保持具１０は、使用者がグリップ２１を把持した状態で、保持部２０に上方からカップ１を挿入してカップ１を保持し、突起２２を係合孔３ｄの直径が大きい側に挿入させて収納ポケット３をホルダー２に近づけた後、収納ポケット３を下方に移動させることにより、係合孔３ｄの直径が小さい部位を、軸部２２ｃを中心として回動自在に係合させる。この状態で、収納ポケット３はホルダー２に突起２２を介して揺動自在に遊嵌された状態で連結されている。より具体的には、収納ポケット３はホルダー２の突起２２に揺動自在に吊り下げられている。カップ１への飲料の注入及び収納ポケット３への食料の収容は、カップ１及び収納ポケット３がホルダー２に装着される前でも、装着された後でも構わない。
【００２８】
第一実施形態のカップ保持具１０によれば、片手に持ったグリップ２１を傾けてカップ１内の飲料を容易に飲むことができる。このとき、食料を収容した収納ポケット３は、ホルダー２に回動自在に係合されて揺動するが、収納ポケット３が連結されている突起２２とグリップ２１とは、保持部２０に対して反対側に配置されており、突起２２は保持部２０の直径方向に沿って突出しているので、収納ポケット３が連結されている突起２２の突出方向とカップ１を傾ける際の軸とがほぼ一致する。このため、図２に示すように、カップ１を傾けたとしても、食料が入った収納ポケット３は常に水平な状態が維持されるので、飲料を飲むためにカップ１を傾けたとしても収納ポケット３内の食料が零れることを防止することが可能である。
【００２９】
更に、収納ポケット３の容器底部３ｃは直交方向の両側が湾曲した舟形構造なので、収納ポケット３内に収容されている収容物は収納ポケット３の直交方向における中央側に集まりやすく、重心が中央に位置して、収納ポケット３の水平な状態がより維持される。このため、収納ポケット３内やカップ１内の収容物が零れ難いカップ保持具１０を提供することが可能である。
【００３０】
上記実施形態においては、ホルダー２を合成樹脂製のとした例について説明したが、これに限らず、木製、或いは、金属製等の各種耐水性材料で形成されていてもよい。
【００３１】
第一実施形態においては、保持部２０が上下方向に連通し、高さが低いほぼ筒状をなしているホルダー２の例を挙げて説明したが、これに限らず、例えば、図３に示すように、高さが第一実施形態の保持部２０より高く、例えば、カップ１のほぼ半分が収容される保持部４０を有するホルダー４であっても構わない。このとき、保持部４０は、カップ１が挿入される開口と底とを有するカップ状をなしてカップ１を載置可能な形態であっても構わない。
【００３２】
また、図３に示すようなカップ１の下側を保持する保持部４０を有する形態の場合には、グリップ４１を、保持部４０において突起２２が設けられる部位と反対側の高い位置に設けることにより、カップ１をより安定した状態で保持しつつ収容された飲料を容易に飲むことが可能となる。
【００３３】
上記のように保持部４０の高さが高い場合には、保持部４０自身を使用者が容易に把持することが可能なので、図４に示すように、グリップは必ずしも設けられていなくとも構わない。
【００３４】
また、図３、図４に示すようなカップ１の下側を保持するカップ保持具１０のホルダー４は、保持部４０の下端が平坦であり、グリップ４１の下端より保持部４０の下端の方が低いので、カップ１が装着された状態であっても、カップ１が装着されていない単体の状態であっても、卓上等に載置することが可能である。このため、グリップ４１を有するホルダー４の場合には、例えば図５に示すようにグリップ４１側の周側部４０ａからグリップ４１上端の張出部分４１ａに亘って縦長の切り欠き部４０ｂを備えておくことにより、また、グリップを有しないホルダー４の場合には、突起２２とは反対側の周側部４０ａに縦長の切り欠き部４０ｂを備えておくことにより、複数のホルダー４を上下に積み重ねることが可能である。
【００３５】
例えば、グリップ４１を有するホルダー４の場合には、上下に重なる各々２つのホルダー４は、グリップ４１側と突起２２側とが互いに反対側に位置する状態で、上側のホルダー４の保持部４０を下側のホルダー４の保持部４０内に挿入することにより重ねられる。このとき、上側のホルダー４に設けられている突起２２及び台座２３は、下側のホルダー４に形成した切り欠き部４０ｂに挿入されるよう構成されており、下側に位置するホルダー４の切り欠き部４０ｂの下端に、上側から挿入されるホルダー４の台座２３の下端が当接されて重ねられている。このように複数のホルダー４を重ねることができるので、複数のホルダー４をよりコンパクトに保管しておくことが可能である。
【００３６】
上記実施形態においては、ホルダー２、４側に突起２２が設けられている例について説明したが、これに限らず、例えば、図６に示すように、収納ポケット５側に突起５１が設けられ、ホルダー６側に、突起係合部としての係合切り欠き部６１が設けられており、収納ポケット５側の突起５１が、ホルダー６側の係合切り欠き部６１に遊嵌可能に係合されて、収納ポケット５が揺動可能に連結される形態であっても構わない。この場合には、ホルダー６の保持部６０におけるグリップ６２と反対側の周側部６０ａに外側に張り出す突起側張出部６０ｂを設け、この突起側張出部６０ｂに係合切り欠き部６１を設けておく。ホルダー６に突起側張出部６０ｂを設けることにより、保持部６０にカップ１を装着したときに、カップ１の外周面と突起側張出部６０ｂとの間に空隙Ｓが設けられ、この空隙Ｓに突起５１先端の円盤状の部位５１ａを挿入することにより、カップ１の装着を妨げることなく、また、収納ポケット５の揺動の障害となることなく、収納ポケット５を遊嵌可能に係合することが可能となる。
【００３７】
また、突起５１先端の円盤状の部位５１ａが挿入される突起側張出部６０ｂが設けられているホルダー６は、図７に示すように、グリップ６２側の周側部６０ａに、突起側張出部６０ｂが収容可能なグリップ側張出部６０ｃを設けておくと、複数のホルダー６を上下に積み重ねることが可能である。
【００３８】
また、突起側張出部６０ｂ及びグリップ側張出部６０ｃを設ける場合には、突起側張出部６０ｂ及びグリップ側張出部６０ｃの幅及び深さを、図８に示すように、取り付ける収納ポケット５をホルダー６内に収容可能な寸法に設定しておくと、ホルダー６内に収納ポケット５を収容した状態で提供すること、及び、保管することが可能である。
【００３９】
図６には、収納ポケット５側に突起５１が設けられている一例として収納ポケット５に突起５１が一体に設けられている例について説明したが、図９に示すように、収納ポケット５と突起５２とが別体に設けられていても構わない。この場合には、収納ポケット５の内側壁部５ａに突起５２の基端部が貫通可能な貫通丸孔５ｂが設けられており、突起５２は、基端部が貫通丸孔５ｂに挿通される突起本体５２ａと、突起本体５２ａの基端部に嵌合されるキャップ５２ｂと、で構成されている。突起本体５２ａの基端部には、貫通丸孔５ｂより大きな直径をなす拡径部５２ｃが設けられ、先端側には、第一実施形態と同様の円盤状の部位５２ｄ及び軸部５２ｅが設けられ、拡径部５２ｃと軸部５２ｅとが貫通丸孔５ｂの直径とほぼ同じ直径の連結部５２ｆにより繋がっている。また、拡径部５２ｃと連結部５２ｆとには直径方向に沿うスリット５２ｇが設けられており、拡径部５２ｃが収納ポケット５の外側から貫通丸孔５ｂに挿入される際に、スリット５２ｇの両側に位置する部位５２ｈが撓み、近接して貫通丸孔５ｂを通過し、通過した後に離間して突起５２が収納ポケット５に取り付けられるように構成されている。キャップ５２ｂは、取り付けられた突起５２の基端部を収納ポケット５の内側から覆うように拡径部５２ｃに嵌合される。
【００４０】
図１０、図１１は、本発明の他の実施形態のカップ保持具８を示している。第一実施形態では、常に環状をなす保持部２０、４０を有するホルダー２、６と収納ポケット３、５とからなるカップ保持具１０について説明したが、この実施形態のカップ保持具８は、図１０に示すように、カップ１の外周に当接される当接部７１を各々備える２つのホルダー構成部材７０を有し、各当接部７１が互いに近づく近接方向及び互いに遠ざかる離間方向に回動自在に連結されてホルダー７が形成されている。
【００４１】
２つのホルダー構成部材７０は、第一実施形態における保持部２０のカップ１が挿入される保持部開口２０ａがなす円を２つに分けた半円弧状の当接部７１と、当接部７１の一方の端部から当該当接部７１とは反対側に延出された延出部７２とを各々有している。２つのホルダー構成部材７０は、各々の当接部７１同士及び各々の延出部７２同士が、互いに対向するように配置され、各々のホルダー構成部材７０の当接部７１と延出部７２との間にて、上下方向に沿う軸（不図示）により、互いに回動自在に連結されている。ここで、２つのホルダー構成部材７０を回動自在に連結している軸が回動連結部に相当する。
【００４２】
連結された２つのホルダー構成部材７０は、図１０（ａ）に示すように、軸を支点として回動し、各当接部７１の支点とは反対側の端部（以下、当接部７１の先端という）７１ａ同士が当接して２つの当接部７１が環状をなす状態で、各々の延出部７２は、支点から離れるに連れて間隔が広くなるように構成されている。このため、図１０（ｂ）に示すように、各延出部７２の支点とは反対側の端部(以下、延出部の先端という)７２ａを近づけるように、支点を中心として２つのホルダー構成部材７０を回動すると、各当接部７１の先端７１ａが離れるように構成されている。２つのホルダー構成部材７０に設けられた延出部７２が、２つの当接部７１を離間方向に回動させる離間操作部に相当する。
【００４３】
２つのホルダー構成部材７０の延出部７２には各々、水平方向に長く貫通する貫通長孔７２ｂが設けられており、貫通長孔７２ｂには、１箇所で分断された環状のワイヤでなる弾性変形可能なピンチリング７３が挿通されており、ピンチリング７３の両端は、それぞれ２つの当接部７１の、支点に近い外周面に係合されている。より具合的には、ピンチリング７３の両端は、当接部７１の外周面に設けられてピンチリング７３のワイヤ径とほぼ同じ直径に形成された凹部を有する端部規制部７０ａに各々挿入されている。また、ピンチリング７３が挿通されている貫通長孔７２ｂの上下の幅は、ワイヤ径とほぼ同じである。このため、ピンチリング７３は、端部規制部７０ａの凹部と貫通長孔７２ｂとにより傾くことなく弾性変形するように設けられている。
【００４４】
ピンチリング７３は、２つの当接部７１が環状をなす状態、すなわち、２つの当接部７１の先端７１ａ同士が当接して２つの当接部７１が環状をなす状態で、直径が大きくなるように押し広げられて両端部が２つの当接部７１の外周面にそれぞれ当接されている。このため、２つのホルダー構成部材７０は、２つの当接部７１の先端７１ａが当接する方向に、ピンチリング７３により付勢されている。
【００４５】
ホルダー７には、いずれか一方のホルダー構成部材７０における延出部７２から下方に垂設されてグリップ７４が設けられており、また、いずれか一方のホルダー構成部材７０における当接部７１の先端７１ａ側に突起２２と台座２３とが設けられている。すなわち、突起２２は、２つの当接部７１の先端７１ａ同士が当接して形成される保持部開口を挟んで２つのホルダー構成部材７０を連結している軸とは反対側に位置しており、突起は軸と突起２２とを繋ぐ線となる保持部開口の直径に沿って突出している。
【００４６】
この実施形態のカップ保持具８は、使用者が２つの延出部７２を近接させて、２つの当接部７１の間隔を広げて２つの当接部７１の間にカップ１を挿入して延出部７２を離間してカップ１を保持し、突起２２を係合孔３ｄの直径が大きい側に挿入させて収納ポケット３をホルダー７に近づけた後、収納ポケット３を下方に移動させることにより、係合孔３ｄの直径が小さい部位を軸部２２ｃに回動自在に係合し、収納ポケット３がホルダー７に吊り下げられる。
【００４７】
この実施形態のカップ保持具８は、２つのホルダー構成部材７０を、延出部７２が近接する方向に回動させることにより、各当接部７１の先端７１ａが離れて当接部７１の間隔が広がるので、カップ１をより容易に装着することが可能である。また、２つの当接部７１が形成する円の直径より大きめのカップ１であったとしても、ピンチリング７３の付勢力に耐えうる剛性をカップ１が有していれば保持することが可能である。
【００４８】
また、グリップ７４は、２つのホルダー構成部材７０に設けられた延出部７２の下であって、一方の延出部７２にのみ設けられているので、カップ保持具８の使用時に、使用者が２つの延出部７２に同時には触れにくい。このため、使用者が使用中に誤って延出部７２同士を近接させることを防止することが可能である。
【００４９】
上記実施形態においては、収納ポケット３、５を、底が舟形状をなす形態としたが、これに限らず、例えば、外形形状が円錐を逆さまにした形状であっても、また、フランクフルトソーセージのように棒状の食料を収容すべく、底を備えた縦長円筒状の収納ポケットであっても構わない。また、図１２に示すように、収納ポケット９は折り畳むことが可能な形態としても構わず、この場合には、折り畳んだ収納ポケット９を収納するケース９１を設けてもよい。すなわち、収納ポケット３、５、９は、突起２２と遊嵌可能な突起係合部を有し、食料が収容可能であれば構わず、より好ましくは、収納ポケット３、５、９は収納物が容器底部の中心部に集まることにより収納ポケットの水平状態が維持されるような、舟形形状や円錐形状をしていることが望ましい。
【００５０】
以上、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５１】
１  カップ、１ａ  カップ底、１ｂ  周壁部、１ｃ  カップ開口、２  ホルダー、
３  収納ポケット、３ａ  内側壁部、３ｂ  外側壁部、３ｃ  容器底部、３ｄ  係合孔、
３ｅ  外側壁部の中央部分、３ｆ  平坦部、３ｇ  湾曲部、４  ホルダー、
５  収納ポケット、５ａ  内側壁部、５ｂ  貫通丸孔、６  ホルダー、７  ホルダー、
８  カップ保持具、９  収納ポケット、１０  カップ保持具、２０  保持部、
２０ａ  保持部開口、２０ｂ  開口上縁、２０ｃ  開口下縁、２１  グリップ、
２１ａ  帯状の部位、２２  突起、２２ａ  溝部、２２ｂ  円盤状の部位、２２ｃ  軸部、
２３  台座、４０  保持部、４０ａ  周側部、４０ｂ  切り欠き部、４１  グリップ、
４１ａ  張出部分、５１  突起、５１ａ  円盤状の部位、５２  突起、５２ａ  突起本体、
５２ｂ  キャップ、５２ｃ  拡径部、５２ｄ  円盤状の部位、５２ｅ  軸部、
５２ｆ  連結部、５２ｇ  スリット、５２ｈ  スリットの両側に位置する部位、
６０  保持部、６０ａ  周側部、６０ｂ  突起側張出部、６０ｃ  グリップ側張出部、
６１  係合切り欠き部、６２  グリップ、７０  ホルダー構成部材、７０ａ  端部規制部、
７１  当接部、７１ａ  当接部の先端、７２  延出部、７２ａ  延出部の先端、
７２ｂ  貫通長孔、７３  ピンチリング、７４  グリップ、９１  ケース、
Ｓ  空隙
【図１】
2018089373.tif 000003
【図２】
2018089373.tif 000004
【図３】
2018089373.tif 000005
【図４】
2018089373.tif 000006
【図５】
2018089373.tif 000007
【図６】
2018089373.tif 000008
【図７】
2018089373.tif 000009
【図８】
2018089373.tif 000010
【図９】
2018089373.tif 000011
【図１０】
2018089373.tif 000012
【図１１】
2018089373.tif 000013
【図１２】
2018089373.tif 000014